(57)【要約】【課題】背もたれを後ろに倒した状態でも、腰を突き出したような感覚を着座者に与えないリクライニングチェアを提供すること。【解決手段】ベースフレーム２の前側上端部には、座部４の前端部が回動可能に連結し、座部４の前端部には、レッグレスト３の上端部が回動可能に連結している。座部４の後端部には背もたれ５が回動可能に連結し、背もたれ５はその連結部より上方に長く下方に短く延出している。背もたれ５の下端部には、第一のリンク部材７の後端部が角度調節機構Ｃを介して回動可能に連結し、第一のリンク部材７の前端部には、レッグレスト３の上下中間部が回動可能に連結している。また、第一のリンク部材７の後端部には、第二のリンク部材８の上端部が角度調節機構Ｃと同軸となるように回動可能に連結している。第二のリンク部材８の下端部は、ベースフレーム２の後ろ側下端部に回動可能に連結している。【選択図】        図３
2004229925.tif 000002
【特許請求の範囲】
【請求項１】
前部が床に起立するベースフレームと、
前記ベースフレームの前側上部に連結し、その連結部から後方に延出し、その連結部を中心にして上下に回動自在とされた座部と、
前記座部の後端部に連結し、その連結部から上方及び下方に延出し、その連結部を中心にして起立した状態と後傾した状態との間で回動自在とされた背もたれと、
前記座部と前記ベースフレームとの連結部に回動自在に連結し、その連結部から下方に延出したレッグレストと、
前記背もたれと前記座部との連結部より下方で前記背もたれに回動自在に連結し、その連結部から前方に延出し、前端部が前記座部と前記レッグレストとの連結部より下方で前記レッグレストに連結した第一のリンク部材と、
前記第一のリンク部材と前記背もたれとの連結部に回動自在に連結し、その連結部より下方で前記ベースフレームに回動自在に連結した第二のリンク部材と、
を備えることを特徴とするリクライニングチェア。
【請求項２】
前記第一のリンク部材と前記背もたれとの連結部に、前記背もたれに対する前記第一のリンク部材の角度を調節する角度調節機構が設けられていることを特徴とする請求項１に記載のリクライニングチェア。
【発明の詳細な説明】
【０００１】
【発明の属する技術分野】
本発明は、背もたれにレッグレストが連動するリクライニングチェアに関する。
【０００２】
【従来の技術】
背もたれにレッグレストが連動する構成をしたリクライニングチェアが知られている。即ち、背もたれがほぼ垂直に起立した状態では、レッグレストが座部の前端部から下方に垂下するように、背もたれが後ろに倒れる動作に連動してレッグレストが座部の前に延出するように、リクライニングチェアが構成されている。
【０００３】
特許文献１には、背もたれにレッグレストが連動するリクライニングチェアについて記載されている。このリクライニングチェアでは、背もたれの上下中間部が、床に起立した後ろ脚部の上端部に傾倒可能に連結し、座部の前後中間部が、床に起立した前脚部の上端部に回動自在に連結し、座部の後端部が、背もたれと後ろ脚部との連結部より下方で背もたれに回動自在に連結し、レッグレストの上端部が、座部の前端部に回動自在に連結し、座部の下方に配設されたリンク部材の一方の端部が、レッグレストの上下中間部に回動自在に連結し、リンク部材の他方の端部が、背もたれと座部との連結部より更に下方で背もたれに連結している。
【０００４】
このリクライニングチェアにおいては、背もたれを後ろに倒すと、その背もたれは後ろ脚部との連結部より下側の部分が前に出て、リンク部材も前に移動して、それに連動して、レッグレストが前に延出する。また、座部の後端部と背もたれとの連結部が、背もたれと後ろ脚部との連結部より下側となっているから、背もたれが後ろに倒れることによって、座部の後端部が、前脚部との連結部を中心として上に回動する。そのため、背もたれを後ろに倒すと、座部の前端部が座部の後端部より低くなった状態で座部が傾斜した状態となる。
【０００５】
【特許文献１】
特開平５−１６１５１９号公報
【０００６】
【発明が解決しようとする課題】
しかしながら、背もたれを後ろに倒した状態で、座部の前端部が座部の後端部より低くなった状態で座部が傾斜した状態となるから、着座者の臀部が膝より高い位置にある。臀部が膝より高い位置にあると、着座者は腰を前に突き出したような感覚を得て、座り心地が着座者にとって良くない。また、背もたれを後ろに倒した状態でも、背もたれがやや傾斜した状態となっているから、着座者は前に滑り落ちるような感覚を得て、座り心地が着座者にとって更に良くない。
【０００７】
そこで、本発明の目的は、背もたれを後ろに倒した状態でも、腰を突き出したような感覚を着座者に与えないリクライニングチェアを提供することにある。
【０００８】
【課題を解決するための手段】
以上の課題を解決するために、請求項１に記載の発明は、例えば図１〜図４に示すように、
前部が床に起立するベースフレーム（例えば、ベースフレーム２）と、
前記ベースフレームの前側上部に連結し、その連結部から後方に延出し、その連結部を中心にして上下に回動自在に設けられた座部（例えば、座部４）と、
前記座部の後端部に連結し、その連結部から上方及び下方に延出し、その連結部を中心にして起立した状態と後傾した状態との間で回動自在に設けられた背もたれ（例えば、背もたれ５）と、
前記座部と前記ベースフレームとの連結部に回動自在に連結し、その連結部から下方に延出したレッグレスト（例えば、レッグレスト３）と、
前記背もたれと前記座部との連結部より下方で前記背もたれに回動自在に連結し、その連結部から前方に延出し、前端部が前記座部と前記レッグレストとの連結部より下方で前記レッグレストに連結した第一のリンク部材（例えば、第一のリンク部材７）と、
前記第一のリンク部材と前記背もたれとの連結部に回動自在に連結し、その連結部より下方で前記ベースフレームに回動自在に連結した第二のリンク部材（例えば、第二のリンク部材８）と、
を備えることを特徴とする。
【０００９】
請求項２に記載の発明は、請求項１に記載のリクライニングチェアにおいて、
前記第一のリンク部材と前記背もたれとの連結部に、前記背もたれに対する前記第一のリンク部材の角度を調節する角度調節機構（例えば、角度調節機構Ｃ）が設けられていることを特徴とする。
【００１０】
請求項１及び請求項２に記載の発明では、背もたれと第一のリンク部材との連結部が、背もたれと座部との連結部より下方にあるから、背もたれが座部との連結部を中心にして後に倒れるとすると、背もたれと第一のリンク部材との連結部が前に移動する。背もたれと第一のリンク部材との連結部が、第二のリンク部材に連結しており、更に、第二のリンク部材が、背もたれとの連結部より下方でベースフレームに連結しているから、背もたれの後傾によって第二のリンク部材がベースフレームとの連結部を中心にして前に倒れる。従って、第一のリンク部材が前に押されて、レッグレストが垂下した状態から前に振り上がり、背もたれと第一のリンク部材との連結部が前に移動しつつ下にも移動し、更に、座部がベースフレームとの連結部を中心にした下に回動する。そのため、背もたれが後ろに倒れると、座部は前端部が後端部より高い状態で傾斜する。従って、着座者の臀部が膝より低い位置にあり、着座者が腰を引いた感覚を得て、リクライニングチェアの座り心地が着座者にとって良い。
【００１１】
また、座部の後端部が背もたれに連結し、背もたれの下部が第一のリンク部材に連結し、第一のリンク部材の前端部がレッグレストに連結し、レッグレストの上部が座部に連結しているから、座部、背もたれ、レッグレスト及び第一のリンク部材全体で四節点リンク機構が構成されている。そのため、請求項２に記載の発明ように、背もたれに対する第一のリンク部材の角度が角度調節機構によって調節されれば、座部、背もたれ、レッグレスト及び第一のリンク部材のそれぞれの連結部の角度も調節される。従って、角度調節機構を一つの連結部に設けるだけで良く、リクライニングチェアの部品を削減することができる。
【００１２】
【発明の実施の形態】
以下に、図面を用いて本発明の具体的な態様について説明する。ただし、発明の範囲を図示例に限定するものではない。
【００１３】
図１は、本発明が適用されたリクライニングチェア１の斜視図であり、図２は、クッションを外した状態のリクライニングチェア１の斜視図であり、図３は、リクライニングチェア１の側面図である。
図１〜３に示すように、このリクライニングチェア１は、脚として床に載置されるとともに前端部が起立したベースフレーム２と、ベースフレーム２の前端部の上側に回動自在に連結し、その連結部から下方に延出したレッグレスト３と、ベースフレーム２とレッグレスト３との連結部に同軸となって回動自在にベースフレーム２の前端部の上側に連結し、その連結部から後方に延出し、その連結部を中心にして上下に回動自在とされた座部４と、座部４の後端部に回動自在に連結し、その連結部から上方に長く下方に短く延出した背もたれ５と、背もたれ５の上端部に回動自在に連結したヘッドレスト６と、背もたれ５の下端部に回動自在に連結し、その連結部から前方に延出し、前端部がレッグレスト３の上下中間部に回動自在に連結した第一のリンク部材７と、第一のリンク部材７と背もたれ５との連結部に同軸となって回動自在に第一のリンク部材７の後端部に連結し、その連結部から斜め後ろ下方に延出し、下端部がベースフレーム２の後ろ側下部に回動自在に連結した第二のリンク部材８と、を備える。
【００１４】
ベースフレーム２について説明する。ベースフレーム２は左右一対のパイプ枠２１と、二つのパイプ枠２１の間に架橋した補強部材２２と、を有する。パイプ枠２１は、前後に長尺に形成され横たわった状態で床に当接する水平バー２１ａと、水平バー２１ａの後端部から前傾した状態で起立した後ろ脚部２１ｂと、後ろ脚部２１ｂの上端部から前に向かって延出したアームレストバー２１ｃと、水平バー２１ａの前端部から後ろに傾いた状態で起立した前脚部２１ｄと、から構成されている。このアームレストバー２１ｃが前脚部２１ｄの上端部より高くなるように、パイプ枠２１が形成されている。このような二つのパイプ枠２１が左右に向かって相対向し、それぞれの水平バー２１ａの前部に補強部材２２の端部が接合されている。また、それぞれのアームレストバー２１ｃには、ウレタン樹脂製のアームレストクッション２３が設けられている。パイプ枠２１にはクロムメッキが施されている。
【００１５】
座部４について説明する。座部４は、上面視して実質的に矩形状又は正方形状に形成された座部フレーム４１と、座部フレーム４１に囲繞された領域に配置されるように座部フレーム４１に固定された座板４２と、座部フレーム４１及び座板４２を内部に収容したウレタン樹脂製のシートクッション４３と、を有する。座部フレーム４１の前端部であってその左右両側は、左右方向の連結軸Ａによって、連結軸Ａ回りに回動自在となって上述した前脚部２１ｄの上端部に連結している。座部フレーム４１の後端部には、後述する背もたれフレーム５１が連結している。座部フレーム４１の前端部が座部フレーム４１の後端部よりもやや高い位置にあり、座部フレーム４１が側面視して傾斜した状態となっている。
【００１６】
背もたれ５について説明する。背もたれ５は、正面視して上下に長尺であり実質的に矩形状に設けられた背もたれフレーム５１と、背もたれフレーム５１によって囲繞された領域に配置されるように背もたれフレーム５１に固定された当て板５２と、当て板５２及び背もたれフレーム５１を内部に収容したウレタン樹脂製のバッククッション５３と、を備える。背もたれフレーム５１は連結部Ｂを介して左右方向の軸回りに回動自在となって座部フレーム４１の後端部に連結している。背もたれフレーム５１は、連結部Ｂより上側の部分の上下長さが、連結部Ｂより下側の部分の上下長さより長くなっている。また、背もたれフレーム５１の左右両側であってその上端部には、後述するヘッドレストフレーム６１が連結している。
【００１７】
ヘッドレスト６について説明する。ヘッドレスト６は、Ｕ字状のヘッドレストフレーム６１と、ヘッドレストフレーム６１によって囲まれた領域に配置されるようにヘッドレストフレーム６１に固定された当て板６２と、ヘッドレストフレーム６１及び当て板６２を内部に収容したウレタン樹脂製のヘッドレストクッション６３と、を備える。ヘッドレストフレーム６１の左右両側であってそのＵ字の開いた側の端部には、第一の角度調節機構Ｆが設けられており、これら第一の角度調節機構Ｆによってヘッドレストフレーム６１が左右方向の軸回りに回動自在となって背もたれフレーム５１の上端部に連結している。
【００１８】
これら第一の角度調節機構Ｆは、側面視して、背もたれフレーム５１に対するヘッドレストフレーム６１の角度を調節するものである。詳細には、第一の角度調節機構Ｆは、側面視して背もたれフレーム５１に対してヘッドレストフレーム６１が一直線状になった起立状態から、ヘッドレストフレーム６１が後ろに倒れて背もたれフレーム５１と平行となった垂下状態までに調節可能に設けられている。また、第一の角度調節機構Ｆは、起立状態及び垂下状態でロック可能に且つそのロックの解除も可能に設けられている。第一の角度調節機構Ｆとしては、ラチェット式のものが挙げられるが、他のものであっても良い。
【００１９】
レッグレスト３について説明する。レッグレスト３は、正面視して実質的に矩形状又は正方形状に形成されたレッグレストフレーム３１と、レッグレストフレーム３１に囲繞された領域に配置されるようにレッグレストフレーム３１に固定されたレッグ当て板３２と、レッグレストフレーム３１及びレッグ当て板３２を内部に収容したウレタン樹脂製のレッグレストクッション３３と、を備える。レッグレストフレーム３１の上端部には、連結部Ｄを介して左右方向の軸回りに回動自在となって座部フレーム４１の前端部に連結している。連結部Ｄにおける回動軸は連結軸Ａと同軸となっているから、レッグレストフレーム３１の上端部が上述した前脚部２１ｄの上端部に対しても連結軸Ａ回りに回動自在となっている。また、レッグレストフレーム３１は、上記背もたれフレーム５１と平行になっている。
【００２０】
第一のリンク部材７について説明する。第一のリンク部材７は上面視して実質的に矩形状又は正方形状に形成されている。第一のリンク部材７の前端部は、連結部Ｄより下方に位置した連結部Ｅを介して左右方向の軸回りに回動自在となって、レッグ当て板３２の裏面に連結している。第一のリンク部材７の左右両端部であってその後端部には、第二の角度調節機構Ｃが設けられており、これら第二の角度調節機構Ｃによって第一のリンク部材７の後端部が、左右方向の軸回りに回動自在となって背もたれフレーム５１の下端部に連結している。図１、図２においては、第二の角度調節機構Ｃは、一つしか示されていないが、第一のリンク部材７の左右それぞれに設けられている。なお、第一のリンク部材７は、座部フレーム４１に平行となっている。
【００２１】
これら第二の角度調節機構Ｃは、側面視して、第一のリンク部材７に対する背もたれフレーム５１の角度を調節するものである。詳細には、第二の角度調節機構Ｃは、側面視して背もたれフレーム５１が第一のリンク部材７に対して９０°にもっと近い状態の起立状態と、背もたれフレーム５１が後ろに傾倒して第一のリンク部材７に対して１８０°に最も近い状態の傾倒状態と、起立状態と傾倒状態の間の中間状態と、の間で調節可能に設けられている。また、第二の角度調節機構Ｃは、起立状態、中間状態及び傾倒状態でロック可能に且つそのロックの解除も可能に設けられている。第二の角度調節機構Ｃとしては、ラチェット式のものが挙げられるが、他のものであっても良い。
【００２２】
第二のリンク部材８について説明する。第二のリンク部材８は、左右に長尺なバー８１と、バー８１に対して直角に起立したフレーム８２と、を備える。バー８１の左右両端部はそれぞれ、バー８１の軸心回りに回動自在となって上述した水平バー２１ａの後端部に連結している。バー８１の左右中間部にはフレーム８２の下端部が接合されており、このフレーム８２はバー８１を中心にして上下に回動するようになっている。フレーム８２の上端部は、左右方向の軸回りに回動自在となって第一のリンク部材７の後端部に連結している。フレーム８２と第一のリンク部材７との連結部における回動軸は、上述した第二の角度調節機構Ｃにおける軸と同軸となっている。従って、第二のリンク部材８の上端部が背もたれフレーム５１の下端部に直接連結されていないが、第二のリンク部材８の上端部が背もたれフレーム５１の下端部に対して第二の角度調節機構Ｃにおける軸回りに回動自在となっている。
【００２３】
以上のように構成されているリクライニングチェア１の作用について図４を参照して説明する。図４は、リクライニングチェア１をリンク構造で示した場合の側面図である。
図４に示すように、連結軸Ａ及びバー８１が左右方向の軸回り回動のみ自由となっており、その位置はベースフレーム２のパイプ枠２１に対して固定となっている。また、連結部Ｄも連結軸Ａと同軸になっているから、一軸の回動のみ自由となっており、その位置がパイプ枠２１に対して固定となっている。また、連結軸Ａ、連結部Ｂ、第二の角度調節機構Ｃ、連結部Ｄ及び連結部Ｅが回動自在となっているから、レッグレスト３、座部４、背もたれ５及び第一のリンク部材７は連結軸Ａ（連結部Ｄ）、連結部Ｂ、第二の角度調節機構Ｃ及び連結部Ｅを節点とした四節点平行リンク機構となっている。
【００２４】
そして、背もたれ５を最も前に起こした状態にすると、背もたれ５及び第一のリンク部材７が第二の角度調節機構Ｃによって起立状態でロックされる。これに伴い、リクライニングチェア１が図４の実線で示したような状態となる。この状態では、連結部Ｂがその軌道内で最も高く位置し、座部４が最も水平に近い状態となる。また、連結部Ｄがその軌道内で最も低く位置し、レッグレスト３が最も鉛直に近い状態で垂下している。また、背もたれ５が最も鉛直に近い状態で起立し、第二の角度調節機構Ｃがその軌道内で最も高く最も後ろに位置し、第一のリンク部材７が最も水平に近い状態となる。図４の実線では、ヘッドレスト６を後ろに倒して、ヘッドレスト６が背もたれ５の裏面に当接した状態で垂下しているが、ヘッドレスト６を起こし、側面視して背もたれ５に対してヘッドレスト６が一直線状となった状態としても良い。なお、上記図１〜図３は、図４に示された実線の状態のリクライニングチェア１を示している。
【００２５】
リクライニングチェア１が図４の実線の状態にあるときは、着座者の膝が臀部よりやや高い位置にあり、下脚が起立した状態で足が床に付き、上体が起立した状態となる。
【００２６】
そして、図４の実線の状態から第二の角度調節機構Ｃのロックを解除して、背もたれ５を後ろに倒していくと、第二のリンク部材８がバー８１を中心にして前に傾倒する。第二のリンク部材８の傾倒に伴い、第一のリンク部材７の後端部が前側下方に移動し、第一のリンク部材７の前端部が前側上方に移動し、これによってレッグレスト３が連結部Ｄを中心にして前に振り上がる。また、第二のリンク部材８の前傾に伴い、背もたれ５全体が下に移動しつつ後ろに倒れ、これによって座部４は連結軸Ａを中心にして下に回動する。
【００２７】
そして、背もたれ５及び第一のリンク部材７が第二の角度調節機構Ｃによって中間状態でロックされると、リクライニングチェア１が図４の一点鎖線で示したような状態となる。この状態では、背もたれ５が図４の実線の状態より後ろに傾倒しており、座部４が図４の実線の状態より傾斜して座部４の後端部が図４の実線の状態より低く位置しており、レッグレスト３が図４の実線の状態より前に振り上がった位置にある。図４の一点鎖線では、ヘッドレスト６を起こした状態としているが、ヘッドレスト６を後ろに倒した状態としても良い。
【００２８】
リクライニングチェア１が一点鎖線の状態にあるときは、着座者の膝が臀部より高い位置にあり、下脚が斜め前下に延び出した状態でレッグレストに支持され、上体がやや後ろに倒れた状態で背もたれ５に支持される。
【００２９】
そして、図４の一点鎖線の状態から第二の角度調節機構Ｃのロックを解除して、背もたれ５を更に後ろに倒していくと、座部４が連結軸Ａを中心にして下に回動し、第二のリンク部材８がバー８１を中心にして前に傾倒し、レッグレスト３が連結部Ｄを中心にして前に回動する。そして、背もたれ５及び第一のリンク部材７が第二の角度調節機構Ｃによって傾倒状態でロックされると、リクライニングチェア１が図４の二点鎖線で示したような状態となる。この状態では、背もたれ５が最も後ろに傾倒して水平に近い状態となり、座部４が最も傾斜して座部４の後端部が図４のその移動範囲で最も低く位置しており、レッグレスト３が最も前に振り上がって水平に近い状態になる。図４の二点鎖線では、ヘッドレスト６を起こした状態としているが、ヘッドレスト６を後ろに倒した状態としても良い。
【００３０】
リクライニングチェア１が二点鎖線の状態にあるときは、着座者の膝が臀部より高い位置にあり、下脚が最も水平に近くなって斜め前下に延び出した状態で下レッグレストに支持されて、膝が立った状態となる。また、着座者の頭部が臀部より高い位置にある状態で、上体が最も水平に近くなって後ろに倒れて背もたれ５に支持される。
【００３１】
そして、図４の二点鎖線の状態から第二の角度調節機構Ｃのロックを解除して、背もたれ５を前に起こすと、リクライニングチェア１が逆に図４の実線の状態又は図４の一点鎖線の状態に戻る。リクライニングチェア１を二点鎖線の状態から一点鎖線又は実線の状態に戻る際、レッグレスト３、座部４、背もたれ５、第一のリンク部材７及び第二のリンク部材８の軌道は、背もたれ５を倒す場合のそれぞれの軌道と同じであり、向きが反対となるだけである。勿論、図４の一点鎖線の状態から第二の角度調節機構Ｃのロックを解除して、背もたれ５を起こしてリクライニングチェア１を図４の実線の状態に戻しても良い。
【００３２】
以上のように、本実施形態では、リクライニングチェア１が一点鎖線の状態であっても二点鎖線の状態であっても、背もたれ５が後ろに倒れると、座部４は前端部が後端部より高い状態で傾斜する。従って、着座者の臀部は膝より低い位置にあり、着座者は腰を引いた感覚を得る。そのため、リクライニングチェア１の座り心地が着座者にとって良い。また、背もたれ５を倒しても、レッグレスト３が斜め前下に延び出た状態となるから、着座者の膝が立てた状態となり、着座者にとって座り心地が良い。
【００３３】
また、レッグレスト３、座部４、背もたれ５及び第一のリンク部材７が四節点リンク機構となっているから、背もたれ５に対する第一のリンク部材７の角度を第二の角度調節機構Ｃによって調節すれば、座部４、背もたれ５、レッグレスト３及び第一のリンク部材７のそれぞれの連結部の角度も調節される。従って、背もたれ５と第一のリンク部材７との連結部に第二の角度調節機構Ｃを設けるだけで、他の連結部に角度調節機構を設けずに済み、リクライニングチェア１の部品を削減することができる。
【００３４】
なお、本発明は、上記各実施の形態に限定されることなく、本発明の趣旨を逸脱しない範囲において、種々の改良並びに設計の変更を行っても良い。
例えば、上記実施形態では、第二の角度調節機構Ｃが背もたれ５と第一のリンク部材７との連結部に設けられているが、レッグレスト３と第一のリンク部材７との連結部Ｅ、ベースフレーム２とレッグレスト３との連結部Ｄ、ベースフレーム２と座部４との連結部、座部４と背もたれ５の連結部Ｂ、第一のリンク部材７と第二のリンク部材８との連結部に設けても良い。
【００３５】
【発明の効果】
以上のように、請求項１に記載の発明によれば、背もたれが後ろに倒れると、座部は前端部が後端部より高い状態で傾斜するから、着座者の臀部は膝より低い位置にあり、着座者は腰を引いた感覚を得る。そのため、リクライニングチェアの座り心地が着座者にとって良い。
【００３６】
請求項２に記載の発明によれば、背もたれに対する第一のリンク部材の角度が角度調節機構によって調節されれば、座部、背もたれ、レッグレスト及び第一のリンク部材のそれぞれの連結部の角度も調節される。従って、角度調節機構を一つの連結部に設けるだけで良く、リクライニングチェアの部品を削減することができる。
【図面の簡単な説明】
【図１】本発明を適用したリクライニングチェアの斜視図である。
【図２】上記リクライニングチェアのフレームの斜視図である。
【図３】上記リクライニングチェアの側面図である。
【図４】上記リクライニングチェアをリンク構成で示した側面図である。
【符号の説明】
１      リクライニングチェア
２      ベースフレーム
３      レッグレスト
４      座部
５      背もたれ
７      第一のリンク部材
８      第二のリンク部材
Ａ      連結軸
Ｂ      連結部
Ｃ      第二の角度調節機構
Ｄ      連結部
Ｅ      連結部
【図１】
2004229925.tif 000003
【図２】
2004229925.tif 000004
【図３】
2004229925.tif 000005
【図４】
2004229925.tif 000006